(57)【要約】【課題】外部装置と連携して動作する情報表示装置の操作性を向上させることが可能な情報表示装置、制御方法及びプログラムを提供する。【解決手段】画面表示を行う表示手段と、外部装置と連携し、当該外部装置から提供される情報に基づく画面を前記表示手段に表示させる連携手段と、自装置に対する入力操作を受け付ける入力手段と、前記入力手段が受け付けた操作内容をユーザ操作として検知する検知手段と、前記外部装置及び前記自装置の各々の操作に係る操作条件と、前記ユーザ操作とを比較し、当該ユーザ操作の対象装置が前記自装置か前記外部装置かを判定する判定手段と、前記判定手段が判定した前記対象装置に対し、前記ユーザ操作に応じた処理を行わせる制御手段と、を備える。【選択図】図４
2014071669.tif 000002
【特許請求の範囲】
【請求項１】
画面表示を行う表示手段と、
外部装置と連携し、当該外部装置から提供される情報に基づく画面を前記表示手段に表示させる連携手段と、
自装置に対する入力操作を受け付ける入力手段と、
前記入力手段が受け付けた操作内容をユーザ操作として検知する検知手段と、
前記外部装置及び前記自装置の各々の操作に係る操作条件と、前記ユーザ操作とを比較し、当該ユーザ操作の対象装置が前記自装置か前記外部装置かを判定する判定手段と、
前記判定手段が判定した前記対象装置に対し、前記ユーザ操作に応じた処理を行わせる制御手段と、
を備える情報表示装置。
【請求項２】
前記入力手段は、ポインティングデバイスであり、
前記検知手段は、前記ポインティングデバイスを介して行われた操作内容を前記ユーザ操作として検知する請求項１に記載の情報表示装置。
【請求項３】
前記ポインティングデバイスは、前記表示手段の表示面上に設けられたタッチパネルであり、
前記検知手段は、前記タッチパネルに対して行われた操作内容を前記ユーザ操作として検知する請求項２に記載の情報表示装置。
【請求項４】
前記外部装置又は前記自装置の操作に係る操作条件として、前記タッチパネルに対するスライド操作が定義されており、
前記制御手段は、前記対象装置に対し、前記検知手段が前記ユーザ操作として検知した前記スライド操作のスライド方向及びストローク距離に応じた処理を行わせる請求項３に記載の情報表示装置。
【請求項５】
前記外部装置又は前記自装置の操作に係る操作条件として、前記タッチパネルに対するタッチ操作が定義されており、
前記制御手段は、前記対象装置に対し、前記検知手段が前記ユーザ操作として検知した前記タッチ操作のタッチ位置に応じた処理を行わせる請求項３又は４に記載の情報表示装置。
【請求項６】
前記入力手段は、前記自装置の姿勢の変化をセンシングするセンサであり、
前記検知手段は、前記センサでセンシングされた前記姿勢の変化を前記ユーザ操作として検知する請求項１に記載の情報表示装置。
【請求項７】
前記外部装置又は前記自装置の操作に係る操作条件として、前記自装置の回転操作又は傾斜操作が定義されており、
前記制御手段は、前記対象装置に対し、前記検知手段が前記ユーザ操作として検知した前記回転操作又は前記傾斜操作に応じた処理を行わせる請求項６に記載の情報表示装置。
【請求項８】
前記判定手段は、前記対象装置が前記外部装置と判定した場合、前記表示手段の表示画面を用いて報知を行う請求項１〜７の何れか一項に記載の情報表示装置。
【請求項９】
前記判定手段は、前記表示手段の表示画面を暗くすることで、前記対象装置が前記外部装置であることを報知する請求項８に記載の情報表示装置。
【請求項１０】
画面表示を行う表示手段と、自装置に対する入力操作を受け付ける入力手段と、を備えた情報表示装置で実行される制御方法であって、
外部装置と連携し、当該外部装置から提供される情報に基づく画面を前記表示手段に表示させる連携ステップと、
前記入力手段が受け付けた操作内容をユーザ操作として検知する検知ステップと、
前記外部装置及び前記自装置の各々の操作に係る操作条件と、前記ユーザ操作とを比較し、当該ユーザ操作の対象装置が前記自装置か前記外部装置かを判定する判定ステップと、
前記判定ステップで判定された前記対象装置に対し、前記ユーザ操作に応じた動作を行わせる制御ステップと、
を含む制御方法。
【請求項１１】
画面表示を行う表示手段と、自装置に対する入力操作を受け付ける入力手段と、を備える情報表示装置のコンピュータを、
外部装置と連携し、当該外部装置から提供される情報に基づく画面を前記表示手段に表示させる連携手段と、
前記入力手段が受け付けた操作内容をユーザ操作として検知する検知手段と、
前記外部装置及び前記自装置の各々の操作に係る操作条件と、前記ユーザ操作とを比較し、当該ユーザ操作の対象装置が前記自装置か前記外部装置かを判定する判定手段と、
前記判定手段が判定した前記対象装置に対し、前記ユーザ操作に応じた動作を行わせる制御手段と、
して機能させるためのプログラム。
【発明の詳細な説明】
【技術分野】
【０００１】
本発明の実施形態は、情報表示装置、制御方法及びプログラムに関する。
【背景技術】
【０００２】
従来、テレビジョン装置等の据え置き型の情報表示装置では、リモコン装置を用いた遠隔操作が一般的に行われている。例えば、従来、テレビジョン装置に対する複数の操作を、１つのリモコン装置を用いた一貫した操作で行うための技術が提案されている。
【０００３】
また、近時では、タッチパネル等の入力デバイスを備えることで、ユーザ自身の指やスタイラス等で直接操作することが可能な、スマートフォンやタブレット端末等の携帯型の情報表示装置が存在している。さらに、上記の情報表示装置を連携させることで、据え置き型の情報表示装置に表示された情報に関する関連情報を、携帯型の情報表示装置に表示させるといった表示方法が行われている。
【先行技術文献】
【特許文献】
【０００４】
【特許文献１】特開２００５−３４８０３６号公報
【発明の概要】
【発明が解決しようとする課題】
【０００５】
しかしながら、上記の表示方法では、携帯型の情報表示装置を把持するユーザは、据え置き型の情報表示装置を操作する場合、リモコン装置に持ち替えて操作する必要があるため、操作性が悪いという問題があった。
【０００６】
本発明は、上記に鑑みてなされたものであって、外部装置と連携して動作する情報表示装置の操作性を向上させることが可能な情報表示装置、制御方法及びプログラムを提供する。
【課題を解決するための手段】
【０００７】
実施の形態の情報表示装置は、表示手段と、連携手段と、入力手段と、検知手段と、判定手段と、制御手段とを備える。表示手段は、画面表示を行う。連携手段は、外部装置と連携し、当該外部装置から提供される情報に基づく画面を前記表示手段に表示させる。入力手段は、自装置に対する入力操作を受け付ける。検知手段は、前記入力手段が受け付けた操作内容をユーザ操作として検知する。判定手段は、前記外部装置及び前記自装置の各々の操作に係る操作条件と、前記ユーザ操作とを比較し、当該ユーザ操作の対象装置が前記自装置か前記外部装置かを判定する。制御手段は、前記判定手段が判定した前記対象装置に対し、前記ユーザ操作に応じた動作を行わせる。
【図面の簡単な説明】
【０００８】
【図１】図１は、実施形態に係る情報表示システムの構成例を示す図である。
【図２】図２は、図１に示したテレビジョン装置のハードウェア構成例を示す図である。
【図３】図３は、図１に示したタブレット端末のハードウェア構成例を示す図である。
【図４】図４は、テレビジョン装置及びタブレット端末の機能構成例を示す図である。
【図５−１】図５−１は、テレビジョン装置の表示部に表示された表示画面の一例を示す図である。
【図５−２】図５−２は、タブレット端末の表示部に表示された表示画面の一例を示す図である。
【図６】図６は、タブレット端末の記憶部に記憶された操作判定テーブルの一例を模式的に示す図である。
【図７−１】図７−１は、タブレット端末で行われる操作例を説明するための図である。
【図７−２】図７−２は、図７−１の操作に伴いテレビジョン装置で実行される処理を説明するための図である。
【図７−３】図７−３は、図７−２の処理に伴いタブレット端末の表示部に表示される表示画面を説明するための図である。
【図８−１】図８−１は、タブレット端末で行われる操作例を説明するための図である。
【図８−２】図８−２は、図８−１の操作に伴いテレビジョン装置で実行される処理を説明するための図である。
【図８−３】図８−３は、図８−２の処理に伴いタブレット端末の表示部に表示される表示画面を説明するための図である。
【図９】図９は、タブレット端末で行われる操作例を説明するための図である。
【図１０】図１０は、テレビジョン装置及びタブレット端末で行われる連携処理の手順を示すフローチャートである。
【発明を実施するための形態】
【０００９】
以下、添付図面を参照して、情報表示装置、制御方法及びプログラムの実施形態を詳細に説明する。なお、以下に説明する実施形態は、テレビジョン装置と、タブレット端末とを有する情報表示システムへの適用例である。
【００１０】
図１は、本実施形態に係る情報表示システムの構成例を示す図である。同図に示すように情報表示システム１は、テレビジョン装置１０と、一又は複数台のタブレット端末２０とを有する。ここで、タブレット端末２０とテレビジョン装置１０とは、ＬＡＮ（Local  Area  Network）やインターネット等のネットワークＮを介して、有線又は無線により通信可能に接続されている。
【００１１】
テレビジョン装置１０は、例えば、デジタルテレビ放送を受信するテレビジョン放送受信装置や、インターネットから各種情報を受信可能なスマートテレビ等の据え置き型の情報表示装置であって、受信した番組等の各種コンテンツを表示部１１に表示する。また、テレビジョン装置１０は、タブレット端末２０からの要求（連携要求）に応じて、当該タブレット端末２０と連携した動作を行う。
【００１２】
図２は、テレビジョン装置１０のハードウェア構成例を示す図である。同図に示すように、テレビジョン装置１０は、表示部１１と、チューナ部１２と、通信部１３と、リモコン装置通信部１４と、記憶部１５と、制御部１６とを備える。また、図示しないが、テレビジョン装置１０は、スピーカ等を備えるものとする。
【００１３】
表示部１１は、例えば、ＬＣＤ（Liquid  Crystal  Display）や有機ＥＬ（Electro  Luminescence）等の表示デバイスである。表示部１１は、制御部１６による制御の下、各種の情報を表示する。なお、本実施形態において、表示部１１の表示画面は、後述する表示部２１の表示画面と比較し大画面で構成されているものとする。
【００１４】
チューナ部１２は、アンテナ等を介して図示しない放送局から放送信号を受信する。具体的に、チューナ部１２は、ユーザの選局操作によって特定のチャンネル（放送局）が指定されると、制御部１６による制御の下、この指定されたチャンネルの放送信号を受信する。
【００１５】
通信部１３は、ネットワークＮに接続可能な通信インタフェースである。通信部１３は、制御部１６による制御の下、ネットワークＮに接続された外部装置（例えば、タブレット端末２０や図示しないサーバ装置）との間で各種の情報を授受する。
【００１６】
リモコン装置通信部１４は、赤外線受光素子やＢｌｕｅｔｏｏｔｈ（登録商標）等の受信機を備え、図示しないリモコン装置から送信される信号を受信する。なお、テレビジョン装置１０のユーザは、このリモコン装置を用いることで、例えば、チャンネルの選局、表示部１１に表示されたフォーカス（図５−１参照）やカーソルの移動を指示することが可能である。
【００１７】
記憶部１５は、ＲＯＭ（Read  Only  Memory）やＨＤＤ（Hard  Disk  Drive）、ＳＳＤ（Solid  State  Drive）等の不揮発性の記憶媒体を有し、各種のプログラムや設定情報等を記憶する。
【００１８】
制御部１６は、ＣＰＵ（Central  Processing  Unit）、ＲＡＭ（Random  Access  Memory）等を有し（何れも図示せず）、記憶部１５に記憶されたプログラムと協働することで、テレビジョン装置１０の動作を統括的に制御する。また、制御部１６は、記憶部１５に記憶されたプログラムと協働することで、タブレット端末２０との連携動作に係る機能部（図４参照）を実現させる。
【００１９】
図１に戻り、タブレット端末２０は、ユーザが把持した状態で使用する携帯型の情報表示装置であって、各種の情報を表示部２１に表示する。また、タブレット端末２０は、テレビジョン装置１０に連携要求を送信することで、当該テレビジョン装置１０と連携した動作を行う。
【００２０】
図３は、タブレット端末２０のハードウェア構成例を示す図である。同図に示すように、タブレット端末２０は、表示部２１と、入力部２２と、通信部２３と、記憶部２４と、制御部２５とを備える。
【００２１】
表示部２１は、例えば、ＬＣＤや有機ＥＬ等の表示デバイスである。表示部２１は、制御部２５による制御の下、各種の情報を表示する。
【００２２】
入力部２２は、ユーザから各種指示や情報入力を受け付ける、ポインティングデバイスやボタン、スイッチ等の入力デバイスである。なお、本実施形態では、ポインティングデバイスとして、表示部２１の表示面上の全域又は一部に重畳された光透過性のタッチパネルを用いるものとするが、これに限らないものとする。また、自装置の姿勢の変化（回転や傾斜等）をセンシングすることが可能な、三軸加速度センサ等のセンシング装置を入力デバイスとしてもよい。
【００２３】
通信部２３は、ネットワークＮに接続可能な通信インタフェースである。通信部２３は、制御部２５による制御の下、ネットワークＮに接続された外部装置（例えば、テレビジョン装置１０や図示しないサーバ装置）との間で各種の情報を授受する。
【００２４】
記憶部２４は、ＲＯＭやＨＤＤ、ＳＳＤ等の不揮発性の記憶媒体を有し、各種のプログラムや設定情報等を記憶する。ここで、記憶部２４が記憶する設定情報としては、操作判定テーブル２４１が挙げられる。なお、操作判定テーブル２４１の具体例については後述する。
【００２５】
制御部２５は、ＣＰＵ、ＲＡＭ等を有し（何れも図示せず）、記憶部２４に記憶されたプログラムと協働することで、タブレット端末２０の動作を統括的に制御する。また、制御部２５は、記憶部２４に記憶されたプログラムと協働することで、テレビジョン装置１０との連携動作に係る機能部（図４参照）を実現させる。
【００２６】
次に、図４を参照し、テレビジョン装置１０及びタブレット端末２０の連携機能に係る機能構成について説明する。ここで、図４は、テレビジョン装置１０及びタブレット端末２０の機能構成例を示す図である。
【００２７】
テレビジョン装置１０の制御部１６は、記憶部１５に記憶されたプログラムと協働することで、図４に示すように、コンテンツ取得部１０１、コンテンツ表示部１０２及び連携処理部１０３を、テレビジョン装置１０の機能部として実現させる。
【００２８】
コンテンツ取得部１０１は、チューナ部１２が受信した放送信号に含まれるデータ放送を、放送コンテンツとして取得する。また、コンテンツ取得部１０１は、リモコン装置を介したユーザ操作や、電子番組表に含まれるアクセス情報に基づき、通信部１３を介して図示しないサーバ装置にアクセスすることで、当該サーバ装置からＷｅｂコンテンツを取得する。
【００２９】
コンテンツ表示部１０２は、コンテンツ取得部１０１が取得した放送コンテンツやＷｅｂコンテンツ（以下、総称して「コンテンツ」という）を、表示部１１に表示する。なお、上述したコンテンツ取得部１０１及びコンテンツ表示部１０２の機能の一部又は全てを、例えば、Ｗｅｂブラウザ等のＷｅｂクライアントプログラムにより実現する形態としてもよい。
【００３０】
連携処理部１０３は、自装置にアクセスしたタブレット端末２０と連携して動作するための処理を行う機能部である。具体的に、連携処理部１０３は、通信部１３を介してタブレット端末２０から連携要求を受け付けると、この連携要求に含まれた識別情報をＲＡＭ等に一時記憶する。ここで、識別情報には、テレビジョン装置１０に固有のＩＰアドレスやホストネーム等の固有情報や、後述する連携処理部２０１の実現に係るプログラム（アプリケーション）の名称やバージョンを示すバージョン情報等が含まれるものとする。
【００３１】
連携処理部１０３は、一時記憶した識別情報に対応するタブレット端末２０に、自装置との連携に係るアプリケーション情報を送信することで、当該タブレット端末２０に自装置との連携に必要な動作環境を必要に応じて提供する。ここで、アプリケーション情報には、例えば、画面表示に係るフレームワークや各種プログラム（スクリプト、ＪＡＶＡ（登録商標）アプレット等）、もしくは前記フレームワークや各種プログラムを取得するための情報（ＵＲＬ等）が含まれる。なお、タブレット端末２０で使用されている連携処理部２０１のバージョン情報が識別情報に含まれている場合には、そのバージョン情報に対応するアプリケーション情報を送信するものとする。
【００３２】
また、連携処理部１０３は、タブレット端末２０との連携確立後、このタブレット端末２０に表示させる情報を指示した表示用情報を、タブレット端末２０に送信（提供）することで、当該タブレット端末２０に表示用情報に基づく画面を表示させる。ここで、表示用情報は、例えば、タブレット端末２０に表示させる画像データや映像データそのものであってもよいし、表示の対象となる画像等の画面構成が保存されているサーバ装置のアドレス情報であってもよい。
【００３３】
なお、表示用情報によって表示させる情報は特に問わないものとする。例えば、コンテンツ表示部１０２により表示部１１に表示されたコンテンツに関する情報を表示させる形態としてもよい。以下、この例について図５−１、図５−２を参照して説明する。
【００３４】
図５−１は、テレビジョン装置１０の表示部１１に表示された表示画面の一例を示す図である。また、図５−２は、タブレット端末２０の表示部２１に表示された表示画面の一例を示す図である。
【００３５】
情報表示システム１において、テレビジョン装置１０を視聴するユーザは、当該テレビジョン装置１０から離れた位置に存在することが一般的である。そのため、テレビジョン装置１０に複数のコンテンツを提示するような場合には、図５−１に示すように、各コンテンツの視認性を高めるため、当該コンテンツをオブジェクト（Ａ１１〜Ａ１６）として概略的に提示することが行われる。ここで、図５−１の画面Ｇ１１は、６つの映画についての概略説明を、フォーカスＦにより選択可能なオブジェクトＡ１１〜Ａ１６として、表示部１１に表示した例を示している。
【００３６】
一方、タブレット端末２０を使用するユーザは、当該タブレット端末２０を把持した状態で使用することが一般的であるため、テレビジョン装置１０と比較し、細かな文字等を容易に視認することが可能となっている。そのため、タブレット端末２０では、テレビジョン装置１０と比較し、細かな情報を表示できるという特徴を生かした画面構成を行うことができる。
【００３７】
そこで、以下では、上述したテレビジョン装置１０及びタブレット端末２０の視聴形態の相違点を考慮し、テレビジョン装置１０に表示された概略説明を補完する詳細情報を、タブレット端末２０に表示する形態について説明する。
【００３８】
具体的に、連携処理部１０３は、タブレット端末２０との連携確立後、自装置の表示部１１に表示されたオブジェクトＡ１１〜Ａ１６のうち、フォーカスＦが配置されたオブジェクトＡ１２についての詳細を表示させるための表示用情報を、タブレット端末２０に送信する。これに伴い、タブレット端末２０では、後述する連携処理部２０１の機能により、図５−２に示すように、オブジェクトＡ１２に関する詳細情報を表した画面Ｇ２１が、表示部２１に表示される。
【００３９】
ところで、テレビジョン装置１０の表示部１１に表示されたフォーカスＦの配置位置は、図示しないリモコン装置を操作することで任意の方向に移動させることが可能である。しかしながら、タブレット端末２０を操作するユーザは、テレビジョン装置１０を操作する際に、このテレビジョン装置１０のリモコン装置に持ち替えて操作する必要があるため、操作性が悪く利便性に欠けるという問題があった。
【００４０】
そこで、本実施形態の情報表示システム１では、連携関係にあるテレビジョン装置１０とタブレット端末２０とが協働することで、テレビジョン装置１０の表示部１１に表示された画面の画面操作を、タブレット端末２０から行うことを可能とする。具体的に、テレビジョン装置１０では、後述するように、タブレット端末２０から送信される制御情報に従い、フォーカスＦの移動等の画面操作を行うことで、テレビジョン装置１０とタブレット端末２０とで連続した操作性を提供する。また、テレビジョン装置１０は、画面操作を反映した表示用情報をタブレット端末２０に送信することで、当該表示用情報に基づく画面を表示部１１に表示させる。
【００４１】
図４に戻り、タブレット端末２０の制御部２５は、記憶部２４に記憶されたプログラムと協働することで、連携処理部２０１、入力検知部２０２及び入力判定部２０３を、タブレット端末２０の機能部として実現させる。
【００４２】
連携処理部２０１は、テレビジョン装置１０と連携して動作するため制御を行う機能部である。具体的に、連携処理部２０１は、通信部２３を介し自装置の識別情報を含む連携要求をテレビジョン装置１０に送信することで、当該テレビジョン装置１０に自装置との連携動作を要求する。
【００４３】
連携処理部２０１は、連携要求の送信に伴い、テレビジョン装置１０からアプリケーション情報の提供を受け付けると、このアプリケーション情報に基づき自装置の動作を制御することで、テレビジョン装置１０との連携を確立する。そして、連携処理部２０１は、テレビジョン装置１０との連携確立後、テレビジョン装置１０から提供される表示用情報を受け付けると、この表示用情報に基づく画面を表示部２１に表示させる。
【００４４】
ここで、表示用情報として、画像データや映像データそのものを受け付けた場合、連携処理部２０１は、そのデータを再生等することで表示部２１に表示させる。また、表示用情報として、表示の対象となる画像等の画面構成が保存されているサーバ装置へのアドレス情報を受け付けた場合、連携処理部２０１は、そのアドレス情報が示すサーバ装置にアクセスすることで、サーバ装置から画面構成を取得し、この画面構成に基づく画面を表示部２１に表示させる。なお、テレビジョン装置１０から送信されたアプリケーション情報により、入力検知部２０２及び入力判定部２０３が実現される形態としてもよい。
【００４５】
入力検知部２０２は、入力部２２を介して入力されたユーザ操作を検知する。具体的に、入力検知部２０２は、タッチパネルを介して入力が行われたユーザの操作位置を、表示部２１の表示画面上での座標値として取得する。また、入力検知部２０２、座標値の推移からタッチパネルへの一度の接触時に行われた操作内容を、ユーザ操作として検知する。ここで、検知される操作内容としては、例えば、タップ操作やフリック（スライド）操作に伴う始点座標と終点座標との間の距離（以下、ストローク距離という）や、その操作方向（スライド方向）等が挙げられる。
【００４６】
なお、入力部２２として加速度センサ等のセンシング装置を用いる場合には、このセンシング装置でのセンシング結果に基づき、タブレット端末２０の回転や傾斜等の姿勢の変化を、ユーザ操作として検知する。
【００４７】
入力判定部２０３は、テレビジョン装置１０との連携時において、入力検知部２０２で検知されたユーザ操作の対象となる装置（操作対象装置）を、記憶部２４に記憶された操作判定テーブル２４１に基づいて判定（特定）し、その操作対象装置に対しユーザ操作に応じた処理を実行させる。
【００４８】
ここで、図６は、タブレット端末２０の記憶部２４に記憶された操作判定テーブル２４１の一例を模式的に示す図である。同図に示すように、操作判定テーブル２４１には、自装置及び連携先装置（テレビジョン装置１０）各々の操作に係る操作条件（操作内容）と、その操作の対象となる操作対象装置（自装置又は連携先装置）と、入力判定部２０３が実行する処理内容とが関連付けて登録されている。
【００４９】
図６では、入力部２２（タッチパネル）に係る操作条件として、ストローク距離がゼロ又は所定の微小範囲にあることを示す“ストローク距離「点」”と、ストローク距離が所定の第１長の範囲にあることを示す“ストローク距離「短距離」”と、ストローク距離が所定の第２長（但し第１長以上）の範囲にあることを示す“ストローク距離「長距離」”とを登録した例を示している。また、入力部２２（加速度センサ）に係る操作条件として、タブレット端末２０の水平状態を維持したまま所定角度以上回転させたことを示す“回転”を登録した例を示している。なお、ここで「水平状態を維持」とは、ユーザに対する表示部２１の表示面の相対角度が略維持された状態を意味する。
【００５０】
入力判定部２０３は、操作判定テーブル２４１に登録された各操作条件と、入力検知部２０２で検知されたユーザ操作とを比較し、当該ユーザ操作が操作判定テーブル２４１に登録された操作条件の何れに対応するかを判定（特定）する。また、入力判定部２０３は、ユーザ操作に対応する操作条件を特定すると、その操作条件に関連付けられた操作対象装置に対し、処理内容に定義された処理を実行させる。
【００５１】
例えば、表示部２１に表示された図５−２の画面Ｇ２１上において、特定のＧＵＩ（例えば、ボタンＢ１、Ｂ２等）に対するタップ操作が行われると、入力検知部２０２は、このタップ操作をユーザ操作として検知する。また、この場合、入力判定部２０３は、図６の操作判定テーブル２４１に基づき、入力検知部２０２が検知したユーザ操作が、操作条件“ストローク距離「点」”に対応すると判定する。そして、入力判定部２０３は、操作判定テーブル２４１の処理内容に従い、操作対象装置である自装置において、そのユーザ操作が行われたＧＵＩ用の処理を制御部２５（又は連携処理部２０１）に実行させる。
【００５２】
ここで、映画コンテンツの購入を指示するためのボタンＢ１がタップ操作された場合、制御部２５は、この映画コンテンツの購入に係る電子決済処理等を実行する。また、映画コンテンツのプレビューを指示するためのボタンＢ２がタップ操作された場合、制御部２５は、この映画コンテンツのプレビュー映像を取得するため、動画配信サーバ等にアクセスを行う。なお、各ＧＵＩ（ボタン）には、実行の対象となるコマンドやアクセス先等が予め関連付けて設定されているものとする。
【００５３】
また、表示部２１に表示された図５−２の画面Ｇ２１上において、図７−１に示すようなストローク距離が第１長となる、右方向へのストローク操作Ｃ１が行われると、入力検知部２０２は、このストローク操作Ｃ１をユーザ操作として検知する。また、この場合、入力判定部２０３は、図６の操作判定テーブル２４１に基づき、入力検知部２０２が検知したユーザ操作が、操作条件“ストローク距離「短距離」”に対応すると判定する。そして、入力判定部２０３は、操作判定テーブル２４１の処理内容に従い、テレビジョン装置１０の表示部１１に表示されているフォーカスＦ（又はカーソル）を、そのユーザ操作が行われた右方向に移動させるためのコマンドを生成し、これを制御情報として操作対象装置であるテレビジョン装置１０に送信する。
【００５４】
一方、テレビジョン装置１０の連携処理部１０３は、タブレット端末２０からこの制御情報を受け付けると、当該制御情報に含まれたコマンドに従い、図５−１に示したフォーカスＦの位置を右方向に移動させる処理を実行することで、オブジェクトＡ１５にフォーカスＦを配置した図７−２の状態とする。また、連携処理部１０３は、フォーカスＦの移動先となったオブジェクトＡ１５に係る表示用情報を、タブレット端末２０に送信（提供）する。そして、タブレット端末２０の連携処理部２０１は、テレビジョン装置１０の連携処理部１０３から提供される新たな表示用情報に基づき、図７−３に示すようなオブジェクトＡ１５に関する詳細情報を表した画面Ｇ２２を、表示部２１に表示させる。
【００５５】
また、表示部２１に表示された図５−２の画面Ｇ２１上において、図８−１に示すようなストローク距離が第２長となる、左方向へのストローク操作Ｃ２が行われると、入力検知部２０２は、このストローク操作Ｃ２をユーザ操作として検知する。また、この場合、入力判定部２０３は、図６の操作判定テーブル２４１に基づき、入力検知部２０２が検知したユーザ操作が、操作条件“ストローク距離「長距離」”に対応すると判定する。そして、入力判定部２０３は、操作判定テーブル２４１の処理内容に従い、テレビジョン装置１０の表示部１１に表示されている画面を、そのユーザ操作が行われた右方向に移動させるためのコマンドを生成し、これを制御情報として操作対象装置であるテレビジョン装置１０に送信する。
【００５６】
一方、テレビジョン装置１０の連携処理部１０３は、タブレット端末２０からこの制御情報を受け付けると、当該制御情報に含まれたコマンドに従い、図５−１に示した画面を左方向に移動（スクロール）させる処理を実行することで、例えば、図８−２に示すようなオブジェクトＡ２１〜Ａ２６が配置された画面Ｇ１２を表示させる。また、連携処理部１０３は、画面Ｇ１２上においてフォーカスＦが配置されたオブジェクトＡ２１に係る表示用情報を、タブレット端末２０に送信（提供）する。そして、タブレット端末２０の連携処理部２０１は、テレビジョン装置１０の連携処理部１０３から提供される新たな表示用情報に基づき、図８−３に示すようなオブジェクトＡ２１に関する詳細情報を表した画面Ｇ２３を、表示部２１に表示させる。
【００５７】
なお、上述した図７−１、図８−１において、ストローク操作Ｃ１、Ｃ２の軌跡は、ユーザの指やスタイラスの動きを表すものとするが、入力検知部２０２が、操作位置に対応する画素周辺の色を強調表示することで、その軌跡を表示部２１に表示する形態としてもよい。
【００５８】
また、タブレット端末２０に表示された画面が図５−２に示す画面Ｇ２１の状態において、図９に示すように、タブレット端末２０が水平な状態で左方向に所定角度回転して戻すといった回転操作Ｃ３が行われた場合、入力検知部２０２は、この回転操作Ｃ３をユーザ操作として検知する。また、この場合、入力判定部２０３は、図６の操作判定テーブル２４１に基づき、入力検知部２０２が検知したユーザ操作が、操作条件“回転”に対応すると判断する。そして、入力判定部２０３は、操作判定テーブル２４１の処理内容に従い、テレビジョン装置１０の表示部１１に表示されている画面を、そのユーザ操作が行われた左方向に移動させるためのコマンドを生成し、これを制御情報として操作対象装置であるテレビジョン装置１０に送信する。この場合、テレビジョン装置１０では図８−２と同様の処理が実行されことになるため、タブレット端末２０の表示部２１には、図８−３に示した画面Ｇ２３が表示される。
【００５９】
このように、本実施形態のタブレット端末２０では、自装置上行われたユーザ操作が、自装置又はテレビジョン装置１０を対象にしたものかを判定し、テレビジョン装置１０である場合に、当該テレビジョン装置１０にユーザ操作に応じた動作（画面操作）を行わせることができる。これにより、タブレット端末２０を操作するユーザは、リモコン装置に持ち替えることなくテレビジョン装置１０を操作することが可能となるため、テレビジョン装置１０及びタブレット端末２０の操作性を向上させることができる。
【００６０】
なお、本実施形態では、操作対象装置がテレビジョン装置１０の場合、ユーザ操作に応じたコマンドを生成し、制御情報として送信する形態としたが、これに限らないものとする。例えば、ユーザ操作自体（ストローク距離やストローク方向、回転方向等）を制御情報として送信する形態としてもよい。
【００６１】
また、操作対象装置がテレビジョン装置１０の場合、例えば、入力判定部２０３が、表示部２１に表示された画面を暗くしたり、テレビジョン装置１０に対する操作である旨を表示部２１に表示したりすることで、報知を行う形態としてもよい。これにより、操作の対象がテレビジョン装置１０及びタブレット端末２０の何れであるかをユーザに認識させることができるため、テレビジョン装置１０及びタブレット端末２０の操作に係る利便性を向上させることができる。
【００６２】
なお、当該報知のタイミングとしては、テレビジョン装置１０に対する操作入力の入力部２２への入力が完了した場合でもよいが、テレビジョン装置１０に対する操作入力の前触れとなる予兆操作の操作入力が入力部２２に入力された場合であってもよい。即ち入力判定部２０３は、テレビジョン装置１０に対する操作入力が入力されたと判別した場合に報知してもよいし、或いは、テレビジョン装置１０に対する操作入力と判別できないものの、それ以上操作入力が継続するとテレビジョン装置１０への操作入力と判別できる場合に報知してもよい。例えば、図６の条件に従って説明すると、ストローク距離が「短距離」や「長距離」に満たない場合であっても（テレビジョン装置１０への操作入力であるとは判定できない場合）、ストローク距離が「点」よりも長い場合は報知してもよい。つまり、入力部２２への操作入力が、自装置への操作入力と判別すべき条件から外れた場合に、報知するようにしてもよい。
【００６３】
また、操作判定テーブル２４１の登録内容は、図６の例に限らず、タブレット端末２０上の仕様やＧＵＩの仕様等に応じて任意に設定することが可能であるとする。例えば、図６では、自装置の回転操作を、テレビジョン装置１０の操作に係る操作条件として登録したが、これに限らず、タブレット端末２０の操作に係る操作条件としてもよい。また、タブレット端末２０を、当該タブレット端末２０の表示面方向（水平方向）と直交する方向に傾斜させる傾斜操作についても、テレビジョン装置１０又はタブレット端末２０の操作条件として登録してもよい。また、例えば、入力部２２として、多点検知可能なタッチパネルを用いる場合には、一点による入力と、多点による入力（例えば、一点を固定し、他の一点をスライド操作する等）とで、操作対象装置や処理内容を異ならせる形態としてもよい。
【００６４】
次に、図１０を参照して、情報表示システム１の動作について説明する。ここで、図１０は、テレビジョン装置１０及びタブレット端末２０で行われる連携処理の手順を示すフローチャートである。なお、本処理の前提として、テレビジョン装置１０では、コンテンツ取得部１０１により取得されたコンテンツが、コンテンツ表示部１０２の制御により、表示部１１に表示されているものとする。
【００６５】
まず、タブレット端末２０において、入力部２２を介したユーザ操作によりテレビジョン装置１０との連携が指示されると、連携処理部２０１は、自装置の識別情報を含む連携要求をテレビジョン装置１０に送信する（ステップＳ１１）。
【００６６】
テレビジョン装置１０では、連携処理部１０３がタブレット端末２０から送信された連携要求を受け付けると、この連携要求に含まれた識別情報を、ＲＡＭや記憶部１５等の記憶媒体に一時記憶する（ステップＳ２１）。次いで、連携処理部１０３は、識別情報（含バージョン情報）に応じたアプリケーション情報を、タブレット端末２０に送信する（ステップＳ２２）。
【００６７】
タブレット端末２０では、連携処理部２０１がテレビジョン装置１０から送信されたアプリケーション情報を受け付けると、このアプリケーション情報に基づき自装置の動作を制御する（ステップＳ１２）。これらの処理（ステップＳ１１、Ｓ１２、ステップＳ２１、Ｓ２２）により、テレビジョン装置１０とタブレット端末２０との間で連携が確立する。
【００６８】
テレビジョン装置１０の連携処理部１０３は、タブレット端末２０との連携確立後、タブレット端末２０に対し表示用情報を送信する（ステップＳ２３）。これに伴い、タブレット端末２０の連携処理部２０１では、テレビジョン装置１０から提供された表示用情報に基づく画面を、自装置の表示部２１に表示する（ステップＳ１３）。
【００６９】
続いて、タブレット端末２０の入力検知部２０２は、ユーザ操作を検知するまで待機する（ステップＳ１４；Ｎｏ）。ここで、入力部２２を介して操作が行われると、入力検知部２０２は、そのユーザ操作を検知する（ステップＳ１４；Ｙｅｓ）。
【００７０】
次いで、入力判定部２０３は、操作判定テーブル２４１に登録された各操作条件と、入力検知部２０２で検知されたユーザ操作とを比較し、当該ユーザ操作に対応する操作条件を特定すると（ステップＳ１５）、この特定した操作条件のレコードに基づき、操作対象装置が自装置か否かを判定する（ステップＳ１６）。ここで、操作対象装置が自装置と判定された場合（ステップＳ１６；Ｙｅｓ）、入力判定部２０３は、ユーザ操作が行われた座標値に対応するＧＵＩに基づき、そのユーザ操作に応じた処理を制御部２５に実行させ（ステップＳ１７）、ステップＳ１４に再び戻る。
【００７１】
また、ステップＳ１６において、操作対象装置が連携先装置（テレビジョン装置１０）と判定された場合（ステップＳ１６；Ｎｏ）、入力判定部２０３は、ユーザ操作に応じたコマンドを生成する（ステップＳ１８）。そして、入力判定部２０３は、生成したコマンドを制御情報としてテレビジョン装置１０に送信し（ステップＳ１９）、ステップＳ１３に再び戻る。
【００７２】
一方、テレビジョン装置１０では、連携処理部１０３が、タブレット端末２０から制御情報が送信されるのを待機する（ステップＳ２４；Ｎｏ）。ここで、連携処理部１０３は、タブレット端末２０から送信された制御情報を受け付けると（ステップＳ２４；Ｙｅｓ）、この制御情報に含まれるコマンドに応じた処理を実行することで、フォーカス移動や画面スクロールなどの画面操作を行う（ステップＳ２５）。そして、連携処理部１０３は、ステップＳ２３に再び戻ることで、ステップＳ２５の処理結果を反映した表示用情報を、タブレット端末２０に送信する。
【００７３】
以上のように、本実施形態によれば、タブレット端末２０のユーザは、当該タブレット端末２０の入力部２２を介して、テレビジョン装置１０及びタブレット端末２０の動作を指示することができるため、タブレット端末２０の操作性を向上させることができる。
【００７４】
また、タブレット端末２０でなされる操作内容（ユーザ操作）自体が、操作対象機器を示すため、ユーザは入力部２２を介してユーザ操作を行うだけで、自装置及びテレビジョン装置１０の操作を行うことができる。これにより、操作対象機器を切り替えるために、操作対象機器毎に操作領域（タッチパネル領域）を分けたり、操作対象機器を切り替えるためのスイッチ操作を行うことは不要となるため、操作方法を簡易化できるとともに、タブレット端末２０の操作性を向上させることができる。
【００７５】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更を行うことができる。また、上記実施形態やその変形は、発明の範囲や要旨に含まれるとともに、特許請求の範囲に記載された発明とその均等の範囲に含まれる。
【００７６】
例えば、上記実施形態では、本発明の実施形態に係る情報表示装置をタブレット端末２０に適用したが、これに限らず、ユーザの手元で表示及び操作が行われる他の情報表示装置（例えば、携帯電話やスマートフォン等）に適用する形態としてもよい。また、上記実施形態では、タブレット端末２０と連携する装置を、テレビジョン装置１０としたが、これに限らず、テレビジョン装置１０の機能部を有した他のタブレット端末２０としてもよい。
【００７７】
また、上記実施形態のテレビジョン装置１０及びタブレット端末２０で実行されるプログラムを、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００７８】
また、上記実施形態のテレビジョン装置１０及びタブレット端末２０で実行されるプログラムを、インターネット等のネットワークに接続されたコンピュータ上に格納し、ネットワーク経由でダウンロードさせることにより提供するように構成してもよい。また、上記実施形態のテレビジョン装置１０及びタブレット端末２０で実行されるプログラムを、インターネット等のネットワーク経由で提供又は配布するように構成してもよい。
【符号の説明】
【００７９】
１…情報表示システム、１０…テレビジョン装置、１１…表示部、１２…チューナ部、１３…通信部、１４…リモコン装置通信部、１５…記憶部、１６…制御部、２０…タブレット端末、２１…表示部、２２…入力部、２３…通信部、２４…記憶部、１０１…コンテンツ取得部、１０２…コンテンツ表示部、１０３…連携処理部、２０１…連携処理部、２０２…入力検知部、２０３…入力判定部、２４１…操作判定テーブル、Ｎ…ネットワーク
【図１】
2014071669.tif 000003
【図２】
2014071669.tif 000004
【図３】
2014071669.tif 000005
【図４】
2014071669.tif 000006
【図５−１】
2014071669.tif 000007
【図５−２】
2014071669.tif 000008
【図６】
2014071669.tif 000009
【図７−１】
2014071669.tif 000010
【図７−２】
2014071669.tif 000011
【図７−３】
2014071669.tif 000012
【図８−１】
2014071669.tif 000013
【図８−２】
2014071669.tif 000014
【図８−３】
2014071669.tif 000015
【図９】
2014071669.tif 000016
【図１０】
2014071669.tif 000017